(57)【特許請求の範囲】
【請求項１】
拡張型物理ダウンリンク制御チャネル（ＥＰＤＣＣＨ）からのダウンリンク制御情報（ＤＣＩ）をブラインドデコーディングするように構成されるユーザ機器（ＵＥ）であって、
プロセッサ
を備え、
前記プロセッサは、
前記ＤＣＩが成功裏にデコードされるまで、拡張制御チャネルエレメント（ＥＣＣＥ）に対する複数の拡張リソースエレメントグループ（ＥＲＥＧ）インデックスマップの選択されたセットを用いて、ＰＲＢのセットにおける複数の物理リソースブロック（ＰＲＢ）領域候補からの前記ＥＰＤＣＣＨの複数の前記ＥＣＣＥからの前記ＤＣＩをデコードすることを１又は複数回試み、
前記ＤＣＩをエンコードするために用いられた同じアグリゲーションレベルに関連するＥＲＥＧインデックスマップで前記ＤＣＩをデコードし、
各ＥＲＥＧインデックスマップは、異なるアグリゲーションレベル（ＡＬ）に対して構成され、
前記プロセッサは、さらに、
ＥＲＥＧインデックスマップに関連する仮定されるアグリゲーションレベルがエンコードされたアグリゲーションレベルと異なるときに、前記ＤＣＩをデコードしないように構成される、ＵＥ。
【請求項２】
複数のリソースエレメント（ＲＥ）が前記ＥＰＤＣＣＨの送信に対して割り当てられる複数の前記ＥＲＥＧの一部であるときに、物理リソースブロックペア（ＰＲＢペア）の複数の前記ＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)への前記マッピングは、最初にインデックスｋそしてインデックスｌの順に増加し、サブフレームにおいて第１のスロットで開始し、第２のスロットで終了する、請求項１に記載のＵＥ。
【請求項３】
各ＥＲＥＧインデックスマップは、物理リソースブロックペア（ＰＲＢペア）におけるどのリソースエレメント（ＲＥ）がアグリゲーションレベルに対する前記ＥＣＣＥに関連するかを決定するために用いられる、請求項１又は２に記載のＵＥ。
【請求項４】
前記エンコードされたアグリゲーションレベルは、前記ＥＰＤＣＣＨにおける送信に対して前記ＤＣＩをエンコードするために、進化型ＮｏｄｅＢ（ｅＮＢ）によって用いられた同じアグリゲーションレベルである、請求項１から３のいずれか一項に記載のＵＥ。
【請求項５】
トランシーバ
をさらに備え、
前記トランシーバは、
ノードから前記ＥＰＤＣＣＨを受信し、
前記ノードは、基地局（ＢＳ）、ノードＢ（ＮＢ）、進化型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、又は中央処理モジュール（ＣＰＭ）を含む、請求項１から４のいずれか一項に記載のＵＥ。
【請求項６】
トランシーバ
をさらに備え、
前記トランシーバは、
リソース割り当て（ＲＡ）において前記ＥＰＤＣＣＨとともに物理ダウンリンク共有チャネル（ＰＤＳＣＨ）を受信し、
前記ＲＡは、第３世代パートナシッププロジェクト（３ＧＰＰ）ロングタームエボリューション（ＬＴＥ）規格リリース１１で規定されるＲＡタイプ０、ＲＡタイプ１、又はＲＡタイプ２であり、
前記プロセッサは、
前記ＥＰＤＣＣＨにおいて前記ＤＣＩを含む物理リソースブロックペア（ＰＲＢペア）の周囲に前記ＰＤＳＣＨをレートマッチングするようにさらに構成される、請求項１から５のいずれか一項に記載のＵＥ。
【請求項７】
前記同じアグリゲーションレベルは、１、２、４、８、１６、又は３２のＥＣＣＥにおいて前記ＤＣＩをエンコードするために用いられる、請求項１から６のいずれか一項に記載のＵＥ。
【請求項８】
前記ＤＣＩをデコードするように構成される前記プロセッサは、
アグリゲーションレベルアンビギュイティを解決し、
最低ＥＣＣＥアンビギュイティを解決するようにさらに構成される請求項１から７のいずれか一項に記載のＵＥ。
【請求項９】
前記ＵＥは、アンテナ、タッチセンシティブディスプレイ、スピーカ、マイク、グラフィクスプロセッサ、アプリケーションプロセッサ、内部メモリ、又は不揮発性メモリポートのうちの少なくとも１つを含む、請求項１から８のいずれか一項に記載のＵＥ。
【請求項１０】
拡張型物理ダウンリンク制御チャネル（ＥＰＤＣＣＨ）からのダウンリンク制御情報（ＤＣＩ）をブラインドデコーディングする方法であって、
ユーザ機器（ＵＥ）において進化型ＮｏｄｅＢ（ｅＮＢ）から前記ＥＰＤＣＣＨを受信する段階と、
前記ＤＣＩが成功裏にデコードされるまで、拡張制御チャネルエレメント（ＥＣＣＥ）に対する複数の拡張リソースエレメントグループ（ＥＲＥＧ）インデックスマッピングの選択されたセットを用いて、物理リソースブロックペア（ＰＲＢペア）からの前記ＥＰＤＣＣＨの複数の前記ＥＣＣＥからの前記ＤＣＩをデコードすることを１又は複数回試みる段階であって、各ＥＲＥＧインデックスマッピングは、異なるアグリゲーションレベル（ＡＬ）に対して構成される、段階と、
規定のアグリゲーションレベルに関連する前記ＥＲＥＧインデックスマッピングが用いられるときに、前記ＤＣＩを正確にデコードする段階であって、前記規定のアグリゲーションレベルは、前記ＤＣＩをエンコードするために用いられる、段階と
を備え、
ＥＲＥＧインデックスマップに関連する仮定されるアグリゲーションレベルがエンコードされたアグリゲーションレベルと異なるときに、前記ＤＣＩは、正確にデコードされない、方法。
【請求項１１】
各ＥＲＥＧインデックスマップは、物理リソースブロックペア（ＰＲＢペア）におけるどのリソースエレメント（ＲＥ）が各ＥＣＣＥに関連するかを決定するために用いられる、請求項１０に記載の方法。
【請求項１２】
複数の前記ＲＥが前記ＥＰＤＣＣＨの送信に対して割り当てられる複数の前記ＥＲＥＧの一部であるときに、前記ＰＲＢペアの前記複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上での送信する複数の変調シンボルの数であり、アンテナポートｐ上の複数のリソースエレメント(k,l)への前記マッピングは、最初にインデックスｋそしてインデックスｌの順に増加し、サブフレームにおいて第１のスロットで開始し、第２のスロットで終了する、請求項１１に記載の方法。
【請求項１３】
各ＥＣＣＥは、前記ＰＲＢペア、又は複数のＰＲＢペアにおいて周波数又は時間で他の複数のＥＣＣＥと分散され、又は各ＥＲＥＧは、前記ＰＲＢペア、又は複数のＰＲＢペアにおいて周波数又は時間で他の複数のＥＲＥＧと分散される、請求項１０から１２のいずれか一項に記載の方法。
【請求項１４】
前記ＤＣＩを正確にデコードする段階は、
前記アグリゲーションレベルを決定する段階と、
最低ＥＣＣＥ値を決定する段階と
をさらに備える、請求項１０に記載の方法。
【請求項１５】
前記仮定されるアグリゲーションレベルが前記エンコードされたアグリゲーションレベルと異なるときに、前記ＤＣＩをデコードしない段階であって、ユーザ機器（ＵＥ）は、前記仮定されるアグリゲーションレベルに関連する前記ＥＲＥＧインデックスマッピングでデコードすることを試み、前記エンコードされたアグリゲーションレベルは、前記ＥＰＤＣＣＨにおける送信に対して前記ＤＣＩをエンコードするために、進化型ＮｏｄｅＢ（ｅＮＢ）によって用いられた前記アグリゲーションレベルである、段階と、
他のアグリゲーションレベルに関連する他のＥＲＥＧインデックスマッピングを用いて、前記ＤＣＩをデコードすることを試みる段階と
をさらに備える請求項１０から１４のいずれか一項に記載の方法。
【請求項１６】
請求項１０から１５のいずれか一項に記載の方法をコンピュータに実行させるためのプログラム。
【請求項１７】
アグリゲーションレベル（ＡＬ）に基づいて、拡張型物理ダウンリンク制御チャネル（ＥＰＤＣＣＨ）の複数の拡張制御チャネルエレメント（ＥＣＣＥ）に複数のリソースエレメント（ＲＥ）をマッピングするように動作可能なノードであって、
コンピュータ回路
を有し、
前記コンピュータ回路は、
ダウンリンク制御情報（ＤＣＩ）を送信するために用いられるＥＣＣＥの数を決定し、
前記ＤＣＩを送信するために用いられるＥＣＣＥの前記数に基づいて、前記ＤＣＩを送信するために用いられる前記アグリゲーションレベルを決定し、
ＥＲＥＧインデックスを用いて、前記ＤＣＩに割り当てられた前記ＥＣＣＥの複数の拡張リソースエレメントグループ（ＥＲＥＧ）に複数のリソースエレメント（ＲＥ）をマッピングするように構成され、
前記ＥＲＥＧインデックスは、局在型ＥＰＤＣＣＨの送信スキーム又は分散型ＥＰＤＣＣＨの送信スキームに基づいて選択され、
前記ＤＣＩは、ユーザ機器（ＵＥ）にて、前記ＤＣＩをエンコードするために用いられた同じアグリゲーションレベルに関連するＥＲＥＧインデックスマップでデコードされる、ノード。
【請求項１８】
前記ＲＥをマッピングするように構成される前記コンピュータ回路は、
前記ＤＣＩによって占有される複数の前記ＲＥに渡る周波数優先シーケンスマッピングを用いて、前記局在型ＥＰＤＣＣＨの送信スキームに対して物理リソースブロックペア（ＰＲＢペア）に前記ＲＥをマッピングし、又は、
前記ＤＣＩによって占有される複数の前記ＲＥに渡る周波数優先シーケンスマッピングを用いて、前記分散型ＥＰＤＣＣＨの送信スキームに対して複数のＰＲＢペアに前記ＲＥをマッピングするようにさらに構成され、
前記分散型ＥＰＤＣＣＨの送信スキームに対する１つのＤＣＩは、前記複数のＰＲＢペアからの複数のＥＲＥＧを用いて搬送される、請求項１７に記載のノード。
【請求項１９】
前記ＲＥをマッピングするように構成される前記コンピュータ回路は、
前記ＤＣＩによって占有される複数の前記ＲＥに渡る時間優先シーケンシャルマッピングを用いて、前記局在型ＥＰＤＣＣＨの送信スキームに対して物理リソースブロックペア（ＰＲＢペア）に前記ＲＥをマッピングし、又は、
前記ＤＣＩによって占有される複数の前記ＲＥに渡る時間優先シーケンシャルマッピングを用いて、前記分散型ＥＰＤＣＣＨの送信スキームに対して複数のＰＲＢペアに前記ＲＥをマッピングするようにさらに構成され、
前記分散型ＥＰＤＣＣＨの送信スキームに対する１つのＤＣＩは、前記複数のＰＲＢペアからの複数のＥＲＥＧを用いて搬送される、請求項１７又は１８に記載のノード。
【請求項２０】
前記ＥＣＣＥは、物理リソースブロックペア（ＰＲＢペア）において送信され、各ＰＲＢペアは、４つのＥＣＣＥ又は２つのＥＣＣＥを含む、請求項１７から１９のいずれか一項に記載のノード。
【請求項２１】
複数の前記ＲＥが前記ＥＰＤＣＣＨの送信に対して割り当てられる複数の前記ＥＲＥＧの一部であるときに、物理リソースブロックペア（ＰＲＢペア）の前記複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)への前記マッピングは、最初にインデックスｋそしてインデックスｌの順に増加し、サブフレームにおいて第１のスロットで開始し、第２のスロットで終了する、請求項１７から２０のいずれか一項に記載のノード。
【請求項２２】
前記コンピュータ回路は、
前記ＥＰＤＣＣＨとともに物理ダウンリンク共有チャネル（ＰＤＳＣＨ）にリソースを割り当て、
前記リソースの割り当てにおいて前記ＰＤＳＣＨを送信するようにさらに構成される、請求項１７から２１のいずれか一項に記載のノード。
【請求項２３】
前記ＥＰＤＣＣＨは、局在型ＥＰＤＣＣＨ又は分散型ＥＰＤＣＣＨである、請求項１７から２２のいずれか一項に記載のノード。
【請求項２４】
前記ノードは、基地局（ＢＳ）、ノードＢ（ＮＢ）、進化型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、又は中央処理モジュール（ＣＰＭ）を含む、請求項１７から２３のいずれか一項に記載のノード。
【発明の詳細な説明】
【背景技術】
【０００１】
無線移動通信技術は、ノード（例えば、送信局又はトランシーバノード）と無線デバイス（例えば、モバイルデバイス）との間でデータを送信するために、様々な規格及びプロトコルを用いる。いくつかの無線デバイスは、ダウンリンク（ＤＬ）送信において直交周波数分割多元接続（ＯＦＤＭＡ）を、アップリンク（ＵＬ）送信においてシングルキャリア周波数分割多元接続（ＳＣ−ＦＤＭＡ）を用いて通信する。信号送信のために直交周波数分割多重（ＯＦＤＭ）を用いる複数の規格及び複数のプロトコルは、第３世代パートナシッププロジェクト（３ＧＰＰ）ロングタームエボリューション（ＬＴＥ）、ＷｉＭＡＸ（登録商標）（Worldwide interoperability for Microwave Access）として複数の業界団体に一般に知られている電気電子技術者協会（ＩＥＥＥ）８０２．１６規格（例えば、８０２．１６ｅ、８０２．１６ｍ）、及びＷｉＦｉとして複数の業界団体に一般に知られているＩＥＥＥ８０２．１１規格を含む。
【０００２】
複数の３ＧＰＰ無線アクセスネットワーク（ＲＡＮ）ＬＴＥシステムにおいて、ノードは、（複数の進化型ノードＢ、複数の拡張型ノードＢ、複数のｅＮｏｄｅＢ、又は複数のｅＮＢとしても一般に示される）複数の進化型ユニバーサル地上波無線アクセスネットワーク（Ｅ−ＵＴＲＡＮ）ノードＢ、及び複数の無線ネットワークコントローラ（ＲＮＣ）の組み合わせであり得、ユーザ機器（ＵＥ）として知られる無線デバイスと通信する。ダウンリンク（ＤＬ）送信は、ノード（例えば、ｅＮｏｄｅＢ）から無線デバイス（例えば、ＵＥ）への通信であり得、アップリンク（ＵＬ）送信は、無線デバイスからノードへの通信であり得る。
【０００３】
ＬＴＥにおいて、データは、物理ダウンリンク共有チャネル（ＰＤＳＣＨ）を介して、ｅＮｏｄｅＢからＵＥへ送信されることができる。物理ダウンリンク制御チャネル（ＰＤＣＣＨ）は、複数のリソース割り当て、又はＰＤＳＣＨ上の複数のダウンリンクリソース割り当て、複数のアップリンクリソース認可、及び複数のアップリンクパワー制御コマンドに関連するスケジューリングをＵＥに通知するダウンリンク制御情報（ＤＣＩ）を転送するために用いられることができる。ＰＤＣＣＨは、ｅＮｏｄｅＢからＵＥへ送信される各サブフレームにおいてＰＤＳＣＨの前に送信されることができる。
【図面の簡単な説明】
【０００４】
本開示の複数の特徴及び複数の利点は、本開示の複数の特徴を例として共に示す添付の複数の図面と併用される、以下の詳細な説明から明らかになるだろう。
【０００５】
【図１】ある例に係るレガシー物理ダウンリンク制御チャネル（ＰＤＣＣＨ）を含むダウンリンク（ＤＬ）送信のための複数の無線フレームリソース（例えば、リソースグリッド）の図を示す。
【図２】ある例に係る様々なコンポーネントキャリア（ＣＣ）帯域幅の図を示す。
【図３】ある例に係る拡張型物理ダウンリンク制御チャネル（ＥＰＤＣＣＨ）及び物理ダウンリンク共有チャネル（ＰＤＳＣＨ）の多重化の図を示す。
【図４】ある例に係る各リソースエレメント（ＲＥ）に対する拡張リソースエレメントグループ（ＥＲＥＧ）インデックスを示す１つの物理リソースブロック（ＰＲＢ）ペアの中の４つの拡張制御チャネルエレメント（ＥＣＣＥ）の図を示す。
【図５】ある例に係る分散型拡張型物理ダウンリンク制御チャネル（ＥＰＤＣＣＨ）に対するアグリゲーションレベル（ＡＬ）アンビギュイティの例を示す。
【図６】ある例に係るユーザ機器の（ＵＥの）ブラインドデコーディングにおけるアグリゲーションレベル（ＡＬ）アンビギュイティの例を示す。
【図７Ａ】ある例に係るＡＬ２に対するアグリゲーションレベル（ＡＬ）の固有周波数優先マッピングの図を示す。
【図７Ｂ】ある例に係るＡＬ１に対するアグリゲーションレベル（ＡＬ）の固有周波数優先マッピングの図を示す。
【図８】ある例に係るアグリゲーションレベル（ＡＬ）固有フェーズシフトを伴うノードでの拡張型物理ダウンリンク制御チャネル（ＥＰＤＣＣＨ）処理のためのフロー図を示す。
【図９】ある例に係るダウンリンク制御情報（ＤＣＩ）のアグリゲーションレベル（ＡＬ）固有スクランブルを伴うノードでの拡張型物理ダウンリンク制御チャネル（ＥＰＤＣＣＨ）処理のためのフロー図を示す。
【図１０】ある例に係るレートマッチングの後のインタリーバを伴うノードでの拡張型物理ダウンリンク制御チャネル（ＥＰＤＣＣＨ）処理のためのフロー図を示す。
【図１１】ある例に係る変調の後のインタリーバを伴うノードでの拡張型物理ダウンリンク制御チャネル（ＥＰＤＣＣＨ）処理のためのフロー図を示す。
【図１２】ある例に係る拡張型物理ダウンリンク制御チャネル（ＥＰＤＣＣＨ）からダウンリンク制御情報（ＤＣＩ）をブラインドデコーディングするための方法のフローチャートを示す。
【図１３】ある例に係るアグリゲーションレベル（ＡＬ）に基づいて拡張型物理ダウンリンク制御チャネル（ＥＰＤＣＣＨ）の複数の拡張制御チャネルエレメント（ＥＣＣＥ）に複数のリソースエレメント（ＲＥ）をマッピングするように動作可能なノードのコンピュータ回路の機能を示す。
【図１４】ある例に係るノード（例えば、ｅＮＢ）及び無線デバイス（例えば、ＵＥ）のブロック図を示す。
【図１５】ある例に係る無線デバイス（例えば、ＵＥ）の図を示す。
【０００６】
参照は、示された例示的な複数の実施形態についてここで説明し、特殊言語が、それらを説明するためにここで用いられるだろう。それでもなお、本発明の範囲の限定がそのことによって意図されないことが理解されるであろう。
【発明を実施するための形態】
【０００７】
本発明が開示及び説明される前に、本発明がここで開示される特定の複数の構造、複数の処理ステップ、又は複数の材料に限定されないが、当業者によって認識されるであろうそれらの複数の均等物にまで拡張されることが理解されるべきである。また、ここで採用される用語が特定の複数の例を説明する目的だけのために用いられ、限定することを意図されないことが理解されるべきである。異なる複数の図面における同じ複数の参照符号は、同じ要素を表す。複数のフローチャート及び複数の処理において提供される複数の数字は、複数のステップ及び複数の動作を例示することにおける明確性のために提供され、必ずしも特定の順序又は配列を示さない。
【０００８】
技術の複数の実施形態の最初の概要が以下に提供され、そして、具体的な技術の複数の実施形態が後でより詳しく説明される。この最初の要約は、技術をより迅速に理解する上で読み手を助けることが意図されるが、技術の重要な複数の特徴又は必須の複数の特徴を特定することは意図されず、又は特許請求された主題の範囲を限定することは意図されない。
【０００９】
物理ダウンリンク共有チャネル（ＰＤＳＣＨ）上でのデータの通信は、物理ダウンリンク制御チャネル（ＰＤＣＣＨ）と称される制御チャネルを介して制御されることができる。ＰＤＣＣＨは、複数のダウンリンク（ＤＬ）及びアップリンク（ＵＬ）リソース割り当て、複数の送信パワーコマンド、及び複数のページング指標に用いられることができる。ＰＤＳＣＨスケジュール認可は、ＵＥ固有トラフィックを搬送するための専用のＰＤＳＣＨリソース割り当てのために特定の無線デバイス（例えば、ＵＥ）に対して指定されることができ、又はＰＤＳＣＨスケジュール認可は、システム情報又はページングのようなブロードキャスト制御情報を搬送するための共通のＰＤＳＣＨリソース割り当てのためにセルの中の全ての無線デバイスに対して指定されることができる。
【００１０】
一例において、ＰＤＣＣＨ及びＰＤＳＣＨは、図１に示されるような一般的な３ＧＰＰロングタームエボリューション（ＬＴＥ）フレーム構造を用いるノード（例えば、ｅＮｏｄｅＢ）と無線デバイス（例えば、ＵＥ）の間のダウンリンク送信において物理（ＰＨＹ）レイヤ上で送信される無線フレーム構造の複数の要素を表すことができる。
【００１１】
図１は、ダウンリンク無線フレーム構造のタイプ１を示す。本例において、データを送信するために用いられる信号の無線フレーム１００は、１０ミリ秒（ｍｓ）の持続時間Ｔｆを有するように構成されることができる。各無線フレームは、それぞれ１ｍｓの長さである１０個のサブフレーム１１０ｉにセグメント化又は分割されることができる。各サブフレームは、０．５ｍｓの持続時間Ｔｓｌｏｔをそれぞれ有する２つのスロット１２０ａ及び１２０ｂにさらに細分化されることができる。第１のスロット（＃０）１２０ａは、レガシー物理ダウンリンク制御チャネル（ＰＤＣＣＨ）１６０及び／又は物理ダウンリンク共有チャネル（ＰＤＳＣＨ）１６６を含むことができ、第２のスロット（＃１）１２０ｂは、ＰＤＳＣＨを用いて送信されるデータを含むことができる。
【００１２】
ノード及び無線デバイスによって用いられるコンポーネントキャリア（ＣＣ）に対する各スロットは、ＣＣ周波数帯域幅に基づく複数のリソースブロック（ＲＢ）１３０ａ、１３０ｂ、１３０ｉ、１３０ｍ、及び１３０ｎを含むことができる。ＣＣは、帯域幅及び中心周波数を有するキャリア周波数を有することができる。ＣＣの各サブフレームは、レガシーＰＤＣＣＨに含まれているダウンリンク制御情報（ＤＣＩ）を含むことができる。レガシーＰＤＣＣＨが用いられるとき、制御領域におけるレガシーＰＤＣＣＨは、各サブフレーム又は物理ＲＢ（ＰＲＢ）の中に複数の第１のＯＦＤＭシンボルの１つから３つの列を含むことができる。サブフレームの中の残りの１１個から１３個のＯＦＤＭシンボル（又はレガシーＰＤＣＣＨが用いられないとき、１４個のＯＦＤＭシンボル）は、データのための（ショート又はノーマルサイクリックプレフィックスのための）ＰＤＳＣＨに割り当てられてよい。
【００１３】
制御領域は、物理制御フォーマット指標チャネル（ＰＣＦＩＣＨ）、物理ハイブリッド自動繰り返しリクエスト（ｈｙｂｒｉｄ−ＡＲＱ）指標チャネル（ＰＨＩＣＨ）、及びＰＤＣＣＨを含むことができる。制御領域は、不必要なオーバヘッドを回避するために、柔軟な制御設計を有してよい。ＰＤＣＣＨに用いられる制御領域におけるＯＦＤＭシンボルの数は、物理制御フォーマット指標チャネル（ＰＣＦＩＣＨ）において送信される制御チャネルフォーマット指標（ＣＦＩ）によって決定されることができる。ＰＣＦＩＣＨは、各サブフレームの第１のＯＦＤＭシンボルの中に位置付けられることができる。ＰＣＦＩＣＨ及びＰＨＩＣＨは、ＰＤＣＣＨを超えて優先度を有することができ、ＰＣＦＩＣＨ及びＰＨＩＣＨは、ＰＤＣＣＨの前にスケジューリングされる。
【００１４】
各ＲＢ（物理ＲＢ又はＰＲＢ）１３０ｉは、（周波数軸上に）１２個の１５ｋＨｚのサブキャリア１３６、及びスロット毎に（時間軸上に）６つ又は７つの直交周波数分割多重（ＯＦＤＭ）シンボル１３２を含むことができる。ショート又はノーマルサイクリックプレフィックスが採用される場合、ＲＢは、７つのＯＦＤＭシンボルを用いることができる。拡張サイクリックプレフィックスが用いられる場合、ＲＢは、６つのＯＦＤＭシンボルを用いることができる。リソースブロックは、ショート又はノーマルサイクリックプレフィックスを用いて、８４個のリソースエレメント（ＲＥ）１４０ｉにマッピングされることができ、又はリソースブロックは、拡張サイクリックプレフィックスを用いて、７２個のＲＥにマッピングされる（不図示）ことができる。ＲＥは、１つのサブキャリア（すなわち、１５ｋＨｚ）１４６による１つのＯＦＤＭシンボル１４２の単位であり得る。
【００１５】
四位相偏移変調（ＱＰＳＫ）の場合、各ＲＥは、情報の２ビット１５０ａ及び１５０ｂを送信できる。各ＲＥにおいてより大きい数のビットを送信する１６直角位相振幅変調（ＱＡＭ）又は６４ＱＡＭ、又は各ＲＥにおいてより小さい数のビット（単一のビット）を送信する二位相偏移変調（ＢＰＳＫ）のような他の複数のタイプの変調が用いられてよい。ＲＢは、ｅＮｏｄｅＢからＵＥへのダウンリンク送信のために構成されることができ、又はＲＢは、ＵＥからｅＮｏｄｅＢへのアップリンク送信のために構成されることができる。
【００１６】
各無線デバイスは、少なくとも１つの帯域幅を用いてよい。帯域幅は、図２に示されるような、信号帯域幅、キャリア帯域幅、又はコンポーネントキャリア（ＣＣ）帯域幅と称されてよい。例えば、ＬＴＥ  ＣＣ帯域幅は、１．４ＭＨｚ２１０、３ＭＨｚ２１２、５ＭＨｚ２１４、１０ＭＨｚ２１６、１５ＭＨｚ２１８、及び２０ＭＨｚ２２０を含むことができる。１．４ＭＨｚのＣＣは、７２個のサブキャリアを備える６つのＲＢを含むことができる。３ＭＨｚのＣＣは、１８０個のサブキャリアを備える１５個のＲＢを含むことができる。５ＭＨｚのＣＣは、３００個のサブキャリアを備える２５個のＲＢを含むことができる。１０ＭＨｚのＣＣは、６００個のサブキャリアを備える５０個のＲＢを含むことができる。１５ＭＨｚのＣＣは、９００個のサブキャリアを備える７５個のＲＢを含むことができる。２０ＭＨｚのＣＣは、１２００個のサブキャリアを備える１００個のＲＢを含むことができる。
【００１７】
ＰＤＣＣＨ上で搬送されるデータは、ダウンリンク制御情報（ＤＣＩ）と称されることができる。複数の無線デバイスは、無線フレームの１つのサブフレームにおいてスケジューリングされることができる。したがって、複数のＤＣＩメッセージは、複数のＰＤＣＣＨを用いて送信されることができる。ＰＤＣＣＨにおけるＤＣＩ情報は、１又は複数の制御チャネルエレメント（ＣＣＥ）を用いて送信されることができる。ＣＣＥは、複数のリソースエレメントグループ（ＲＥＧ）のグループから構成されることができる。レガシーＣＣＥは、９つまでのＲＥＧを含むことができる。各レガシーＲＥＧは、４つのリソースエレメント（ＲＥ）から構成されることができる。各リソースエレメントは、直交変調が用いられるとき、２ビットの情報を含むことができる。したがって、レガシーＣＣＥは、７２ビットまでの情報を含むことができる。ＤＣＩメッセージを搬送するために７２ビットより多い情報が必要とされるとき、複数のＣＣＥが採用されることができる。複数のＣＣＥの使用は、アグリゲーションレベルと称されることができる。一例において、複数のアグリゲーションレベルは、１つのレガシーＰＤＣＣＨに割り当てられる１、２、４、又は８つの連続するＣＣＥとして規定されることができる。
【００１８】
レガシーＰＤＣＣＨは、無線通信の他の領域においてなされる複数の進展に複数の制約を引き起こし得る。例えば、複数のＯＦＤＭシンボルにおける複数のサブフレームへの複数のＣＣＥのマッピングは、一般的に、周波数ダイバシティを提供するために制御領域を超えて拡げられることができる。しかし、ビームフォーミングダイバシティは、ＰＤＣＣＨの現在の複数のマッピング手順によって可能でなくてよい。さらに、レガシーＰＤＣＣＨの容量は、進展した制御シグナリングに対して十分でなくてよい。
【００１９】
レガシーＰＤＣＣＨの複数の制約を克服するために、拡張型ＰＤＣＣＨ（ＥＰＤＣＣＨ）は、レガシーＰＤＣＣＨにあるようなサブフレームの中の第１のスロットのＰＲＢにおける複数のＯＦＤＭシンボルの３つの列に対する第１のものに単に代えて、全体のＰＲＢ又はＰＲＢペア（ＰＲＢペアは、同一のサブキャリアのサブフレームを用いる連続する２つのＰＲＢであり得る。）において複数のＲＥを用いることができる。したがって、ＥＰＤＣＣＨは、携帯電話ネットワークの設計において複数の進展を許容し、現在知られている複数のチャレンジ及び制約を最小化するために、増加された容量で構成されることができる。
【００２０】
レガシーＰＤＣＣＨと異なり、ＥＰＤＣＣＨは、異なる複数のＰＲＢであるが、ＰＤＳＣＨとしてのＰＲＢにおける同じ複数のＲＥ又は領域にマッピングされることができる。ある例において、ＰＤＳＣＨ及びＥＰＤＣＣＨは、同じＰＲＢ（又は同じＰＲＢペア）内で多重化されなくてよい。したがって、１つのＰＲＢ（又は１つのＰＲＢペア）がＥＰＤＣＣＨを含む場合、複数のＲＥがＰＤＳＣＨに用いられなくてよいので、ＰＲＢ（又はＰＲＢペア）における使用されていない複数のＲＥは、ブランクにされてよい。ＥＰＤＣＣＨは、局在することができ（例えば、局在型ＥＰＤＣＣＨ）、又は分散されることができる（例えば、分散型ＥＰＤＣＣＨ）。局在型ＥＰＤＣＣＨは、ＰＲＢペア内の全体のＥＰＤＣＣＨ（例えば、複数のＥＲＥＧ又は複数のＥＣＣＥ）を参照できる。分散型ＥＰＤＣＣＨは、複数のＰＲＢペアに渡って拡がるＥＰＤＣＣＨ（例えば、複数のＥＲＥＧ又は複数のＥＣＣＥ）を参照できる。
【００２１】
ブラインドデコーディングは、レガシーＰＤＣＣＨにおいて送信されるＤＣＩを含むＵＥのＤＣＩを検出するために用いられることができる。ＵＥは、サブフレームの制御領域内のＯＦＤＭシンボルの数を通知されるだけでよく、ＵＥの対応するＰＤＣＣＨの正確な位置を提供されなくてよい。ＰＤＣＣＨ又はＥＰＤＣＣＨは、各サブフレームｋに対してセルの中の複数のＵＥに制御情報を提供できる。ＵＥは、各制御チャネルがマッピングされる制御チャネル（ＣＣＨ）の数及び制御チャネルエレメント（ＣＣＥ）の数を含む詳細な制御チャネル構造を知っていてよいので、ＵＥは、ブラインドデコーディングを実行できる。複数のＰＤＣＣＨは、特定のＵＥに関連してもしなくてもよい単一のサブフレームｋにおいて送信されることができる。ＵＥは、ＰＤＣＣＨにおけるＤＣＩ情報の正確な位置を知らないので、ＵＥは、ＤＣＩがＵＥの複数のＣＣに対して見つかるまで、ＰＤＣＣＨにおいて複数のＣＣＥをサーチしてデコードできる。ＤＣＩ検出のための複数のＰＤＣＣＨ候補は、サーチスペースと称されることができる。ＵＥは、各サブフレームにおけるＰＤＣＣＨサーチスペースの中の複数のＰＤＣＣＨ候補のセット（ＰＤＣＣＨがマッピングされるであろう連続する複数のＣＣＥのセット）を監視することによって、ＵＥに特有のＰＤＣＣＨ（又はＵＥの複数のＣＣ）を見つけることができる。
【００２２】
リリース８、９、１０、又は１１におけるような３ＧＰＰ  ＬＴＥ仕様書において、ＵＥは、複数の候補を試みてデコードするために、ｅＮＢによってＵＥに割り当てられることができる無線ネットワーク一時識別子（ＲＮＴＩ）を用いることができる。ＲＮＴＩは、ＵＥのＲＮＴＩを用いてｅＮＢによって最初にマスクされたＰＤＣＣＨ候補の巡回冗長検査（ＣＲＣ）をデマスクするために用いられることができる。ＰＤＣＣＨが固有のＵＥのためである場合、ＣＲＣは、ＵＥ一意識別子、例えば、ダウンリンクにおいて用いられるセルＲＮＴＩ（Ｃ−ＲＮＴＩ）でマスクされることができる。ＣＲＣエラーが検出されない場合、ＵＥは、ＰＤＣＣＨ候補がＵＥに対するＤＣＩを搬送することを決定できる。ＣＲＣエラーが検出される場合、その後、ＵＥは、ＰＤＣＣＨ候補がＵＥに対するＤＣＩを搬送しないことを決定でき、ＵＥは、次のＰＤＣＣＨ候補にインクリメントできる。ＵＥは、ＣＣＥアグリゲーションレベル（ＡＬ）に基づいて、サーチスペースにおける次のＰＤＣＣＨ候補にインクリメントしてよい。
【００２３】
１ピースの制御情報を送信するために用いられるＣＣＥの数は、送信モード、ＵＥに割り当てられるＰＤＣＣＨの受信品質、又はＵＥのチャネル品質に従って決定されることができ、ＣＣＥの数は、ＣＣＥアグリゲーションレベル、レガシーアグリゲーションレベルＬ∈｛１，２，４，８｝、拡張制御チャネルエレメント（ＥＣＣＥ）アグリゲーションレベルＬ∈｛１，２，４，８，１６，３２｝、又は単なるアグリゲーションレベル（ＡＬ）と称される。アグリゲーションレベルは、サーチスペースのサイズ、又はサーチスペースを形成するＣＣＥ（又はＥＣＣＥ）の数、及び／又はサーチスペースにおける制御チャネル（ＣＣＨ）候補の数を決定するために用いられることができる。ＵＥのＤＣＩのアグリゲーションレベルは、ＵＥで既知でなくてよく、アグリゲーションレベルアンビギュイティと称されることができる。ブラインドデコーディングの間、ＵＥは、ＡＬを仮定してよい。複数のＥＣＣＥをブラインドデコーディングするために、ＵＥは、複数のＤＣＩを送信するために用いられる最低ＥＣＣＥ値を仮定してもよい。複数のＤＣＩの最低ＥＣＣＥ値は、ＵＥに既知でなくてよく、最低ＥＣＣＥアンビギュイティと称されることができる。ＥＣＣＥ及び拡張リソースエレメントグループ（ＥＲＥＧ）は、ＥＰＤＣＣＨに関連付けられることができ、ＣＣＥ及びＲＥＧは、ＰＤＣＣＨに関連付けられることができる。
【００２４】
アグリゲーションレベルアンビギュイティ（ＡＬＡ）は、特にＥＰＤＣＣＨが複数のＰＤＳＣＨと共に送信されるときに、ＰＤＳＣＨに対して性能低下を引き起こし得る。図３に示されるように、ＵＥが、ＤＬ割り当て（例えば、ＥＰＤＣＣＨ）を含む（複数の）ＰＲＢペアに重なり合うことができるＰＤＳＣＨ割り当てを定義するＵＥのＤＬ割り当てを検出するとき、ＵＥは、ＤＬ割り当てによってスケジューリングされたＰＤＳＣＨがＵＥのＤＬ割り当てを含む（複数の）ＰＲＢペアの周囲にレートマッチングされることを仮定できる。リソース割り当ては、３つのＰＲＢペア（例えば、２つの連続するスロット）を含むことができる。ＰＲＢペア０  ３０２Ａは、ＰＲＢペア０、１、及び２に対するＤＣＩリソース割り当て（ＲＡ）３２２を送信するために用いられるＥＰＤＣＣＨ３２０を含むことができる。ＰＲＢペア１  ３０２Ｂ及びＰＲＢペア２  ３０２Ｃは、ＰＤＳＣＨ３１０Ａ―Ｂを含むことができる。
【００２５】
レートマッチング（ＲＭ）処理は、送信されるべき情報及びパリティのビットの数がリソース割り当てに一致するように、複数のＬＴＥデータ送信の符号レートを適応できる。例えば、ターボコーダの１／３マザー符号レートに基づいて、ＬＴＥレートマッチングは、符号レートを減少すべく複数のビットをリピートする、又は符号レートを増加すべく複数のビットをパンクチャするために、循環バッファを用いることができる。
【００２６】
ＤＣＩが、ＰＲＢ０、１、２がＰＤＳＣＨに対して割り当てられ、ＤＣＩそれ自体がＰＲＢ０において検出されることを示す場合、ＵＥは、ＰＲＢ０の周囲にレートマッチングでき、ＰＲＢ１、２からＰＤＳＣＨをデコードだけしてよい。１つのＰＲＢペアは、２つ又は４つのＥＣＣＥを含んでよい。図４は、１つのＰＲＢペア（例えば、スロットｎ  １２０ｃ及びスロットｎ＋１  １２０ｄ）における４つのＥＣＣＥ（例えば、ＥＣＣＥ０―４）の例を示す。図４は、ＤＣＩによって占有される複数のＥＣＣＥに対する複数のＲＥに渡るＲＥの周波数優先シーケンスマッピングを示す。ＥＣＣＥに対する複数のＲＥは、複数の復調参照信号（ＤＭＲＳ）の周囲にマッピングされることができる。各ＲＥにラベル付けされる数は、ＥＲＥＧインデックスである。ある例において、同じＥＲＥＧインデックスは、各アグリゲーションレベルに対して用いられることができる。他の例（不図示）において、ＤＣＩによって占有される複数のＥＣＣＥに対する複数のＲＥに渡るＲＥの時間優先シーケンシャルマッピングが用いられてよい。
【００２７】
図３は、アグリゲーションレベルアンビギュイティに起因するチャレンジを示す。局在型ＥＰＤＣＣＨに関して、ＰＲＢ０及びＰＲＢ１の両方がＥＰＤＣＣＨの送信に対して割り当てられる場合、及びｅＮＢがＵＥに対して複数のＰＲＢペアを割り当てるためにリソース割り当てタイプ０又は２を用いる場合、ｅＮＢは、ＰＲＢ０  ３０２Ａにおいてアグリゲーションレベル４（ＡＬ４）でＤＣＩを送信でき、ＵＥは、ＰＲＢ０  ３０２Ａ及びＰＲＢ１  ３０２Ｂからアグリゲーションレベル８（ＡＬ８）でＤＣＩを成功裏にデコードしてよい。ＰＲＢ０及びＰＲＢ１において成功裏にデコードされたＤＣＩで、ＵＥは、ＰＲＢ０及び１がＥＰＤＣＣＨのために用いられることを仮定してよいので、ＵＥは、ＰＲＢ２からＰＤＳＣＨをデコードすることを試すだけでよい。そのため、ＰＲＢ１上のＰＤＳＣＨは、デコードされなくてよい（例えば、失われてよい）ので、情報は、再送信される必要があってよく、ＰＤＳＣＨに対する性能低下を引き起こし得る。
【００２８】
図５は、分散ＥＰＤＣＣＨの送信に対するアグリゲーションレベルアンビギュイティのチャレンジを示す。分散ＥＰＤＣＣＨの送信に関して、１つの分散型ＥＰＤＣＣＨセットにおけるＰＲＢペアの数が１つの分散型ＥＣＣＥが含むＥＲＥＧの数より大きいときに、ＵＥは、１つの分散型ＥＰＤＣＣＨセットにおける複数のＰＲＢペアから複数のＥＲＥＧをデコードできる。例えば、図５に示されるように、１つのＥＰＤＣＣＨセット３０４は、８つのＰＲＢペア３０２を含み、１つのＥＣＣＥは、ＥＰＤＣＣＨ３２０Ａ―Ｄに４つのＥＲＥＧ３３２を含むことができる。ｅＮＢがアグリゲーションレベル１（ＡＬ１）３３２でＤＣＩを送信し、ＵＥが成功裏にＤＣＩをデコードする場合、アグリゲーションレベル２（ＡＬ２）３３４、ＡＬ４、又はＡＬ８を仮定して、ＡＬ１より大きいアグリゲーションレベル（例えば、ＡＬ２、ＡＬ４、又はＡＬ８）は、分散型ＥＰＤＣＣＨセットにおける全てのＰＲＢペアを占有できるので、ＵＥは、ＰＤＳＣＨデコーディングに対して全てのＰＲＢの周囲でレートマッチングできる。そのため、ＰＤＳＣＨ３１０Ｃ―Ｆは、デコードされなくてよい（例えば、失われてよい）ので、情報は、再送信される必要があってよく、ＰＤＳＣＨに対する性能低下を再度引き起こし得る。
【００２９】
アグリゲーションレベルアンビギュイティがいくつかのチャレンジを提示するだけでなく、最低ＥＣＣＥアンビギュイティもブラインドデコーディングにおいていくつかの非効率性を生成し得る。（例えば、３ＧＰＰ  ＬＴＥ規格リリース８技術仕様書（ＴＳ）３６．２１３に規定されるような）ＰＤＣＣＨサーチスペースのレガシーな定義に基づいて、ＵＥがＰＤＣＣＨブラインド検出のために監視する１つのアグリゲーションレベルの複数のリソースは、他のアグリゲーションレベルの複数のリソースに重なり合うことができる。例えば、図６は、重なり合う複数のＣＣＥを示し、ＵＥは、アグリゲーションレベル１でＤＣＩを検出するためにＣＣＥ｛１，２，３，４，５，６｝を監視でき、アグリゲーションレベル２でＤＣＩを検出するためにＣＣＥ｛１＆２，３＆４，５＆６｝を監視できる。
【００３０】
レートマッチングがＤＣＩを生成するために用いられることができるので、ＣＣＥ２（ＡＬ１  ３４２）における複数のペイロードは、ある例において、ＣＣＥ１における複数のペイロードの正確な繰り返しであり得る。同様に、ＣＣＥ３―４（ＡＬ２  ３４４Ｂ）における複数のペイロードは、ある例において、ＣＣＥ１―２（ＡＬ２  ３４４Ａ）における複数のペイロードの正確な繰り返しであり得る。最低ＣＣＥインデックスコンフュージョン問題又は最低ＥＣＣＥアンビギュイティが生じ得る。レガシーＰＤＣＣＨに関して、複数のゼロビットを詰めることは、３ＧＰＰ  ＬＴＥ規格リリース８ＴＳ３６．２１２に規定されるような｛１２，１４，１６，２０，２４，２６，３２，４０，４４，５６｝のいずれか１つに等しくないＤＣＩのペイロードサイズを作るために用いられることができる。複数のゼロビットを詰めることは、ＥＰＤＣＣＨに利用できなくてよい。
【００３１】
ペイロードサイズ｛１２，１４，１６，２０，２４，２６，３２，４０，４４，５６｝は、３ＧＰＰ  ＬＴＥ規格リリース８ＴＳ３６．２１２において、ＣＣＥサイズが３６個のＲＥであるという仮定で最適化される。しかし、ＥＰＤＣＣＨ設計において、ＥＣＣＥサイズは、複数のセル固有参照信号（ＣＲＳ）、複数のチャネル状態情報参照信号（ＣＳＩ−ＲＳ）、及び／又はレガシー制御の異なる構成に起因して可変であり得る。そのため、ＤＣＩサイズは、異なる複数のＥＣＣＥサイズを考慮して、ＥＰＤＣＣＨに対して最適化されることができる。
【００３２】
例えば、アグリゲーションレベルコンフュージョン問題を生じ得るペイロードサイズは、ｎ＊３／２＊ｋ＝ｍ＊ｎ＿ｃｃｅで表される基準を満足できる。ここで、ｋ及びｍは整数であり、ｍ＝｛１  ２  ４  ８  １６｝であり、ｎはペイロードサイズを表し、ｍは占有されるＣＣＥの数を表し、ｋは符号化されたブロックの複数の繰り返しの開始点を表し、ｎ＿ｃｃｅはＥＣＣＥのサイズを表し、ｎは（１６−ｍ）＊ｎ＿ｃｃｅ＊２＊３／４より小さい。符号レートは、３／４より小さくなり得、そうでなければ、ＵＥは、ペイロードをデコードしなくてよい。
【００３３】
本例の基準に基づいて、異なる複数のＥＣＣＥサイズ（例えば、１２、２４、又は３３）に対してアグリゲーションレベルコンフュージョンを引き起こし得る複数のペイロードサイズ（例えば、未加工のペイロードサイズ４８又は２８）は、表１に示される。表１は、異なる複数のＥＣＣＥサイズ（ｍ＝１，２，４，８，１６）に対してアグリゲーションコンフュージョンを引き起こし得る複数のペイロードサイズを示す。
【００３４】
【表１】
0005956689.tif 000002
【００３５】
いくつかのアグリゲーションレベルコンフュージョンを解決することを支援するために、３ＧＰＰ  ＬＴＥ規格リリース１１（例えば、Ｖ１１．１．０（２０１２−１２））技術仕様書（ＴＳ）３６．２１２テーブル５．３．３．１．２−１は、表２に表される曖昧な複数のサイズに対して２８個及び４８個の情報ビットを含むように修正されることができる。
【００３６】
【表２】
0005956689.tif 000003
【００３７】
他の例において、表３に示されるようなｍ＝１，２，３，・・・，１６を含む上位互換性がある表は、ＵＥが監視する複数のアグリゲーションレベル（ｍ＝１，２，４，８，１６）に代えて用いられることができる。表３は、異なる複数のＥＣＣＥサイズ（ｍ＝１，２，３，・・・，１６）に対するアグリゲーションコンフュージョンを引き起こし得る複数のペイロードサイズを示す。表２は、異なる複数のアグリゲーションレベルに与えられるアグリゲーションレベルアンビギュイティにつながり得る複数のペイロードサイズを含んで規定される。
【００３８】
【表３】
0005956689.tif 000004
【００３９】
様々な方法が、アグリゲーションレベルアンビギュイティ及び最低ＥＣＣＥアンビギュイティを解決するために用いられることができる。例えば、ＤＣＩによって占有される複数のＲＥに渡るユニークな周波数優先又は時間優先シーケンシャルマッピングは、各アグリゲーションレベルに用いられてよい（例えば、代替手段１）。図７Ａは、ＡＬ２  ３５４に対するＥＲＥＧインデックスマップを示す。図７Ｂは、ＡＬ１  ３５２に対するＥＲＥＧインデックスマップを示す。図４は、ＡＬ４又はＡＬ８に用いられることができるＥＲＥＧインデックスマップを示す。ＥＲＥＧインデックスマップ（不図示）は、ＡＬ１、ＡＬ２、又はＡＬ４又はＡＬ８に対して、別の時間優先シーケンシャルＥＲＥＧインデックスマップを用いることもできる。
【００４０】
１つのＥＣＣＥにおける複数のＲＥに変調された複数のシンボルをマッピングして、レガシーＰＤＣＣＨに用いられるような他のＥＣＣＥにおける複数のＲＥにマッピングすることに代えて、ｅＮＢは、ＤＣＩを送信するために用いられる複数のＲＥに渡る周波数優先又は時間優先マッピング（すなわち、ＥＣＣＥ及びＥＲＥＧの両方に渡るマッピング）を用いることができる。各ＥＲＥＧ／ＥＣＣＥが１つのＰＲＢペアの中で分散されることができるので、アグリゲーションレベルマッピングは、異なる複数のアグリゲーションレベル及び異なる複数のＥＲＥＧに対して、異なるシンボルマッピングの順序を生じ得る。たとえ、繰り返しがエンコードされた複数のビットに存在する場合（図６参照）でも、ＵＥは、誤ったＡＬの仮定（例えば、ＡＬアンビギュイティを解決すること）又は誤った開始ＥＣＣＥの仮定（例えば、最低ＥＣＣＥアンビギュイティを解決すること）で正確にＤＣＩをデコードしなくてよい。アグリゲーションレベルを用いて、ＥＲＥＧインデックスマップは、ＡＬアンビギュイティ及び最低ＥＣＣＥアンビギュイティの両方を解決できる。
【００４１】
図８に示されるように、他の例において、アグリゲーションレベルアンビギュイティは、全ての変調されたシンボル（例えば、代替手段２）に対するアグリゲーションレベル固有フェーズシフト４７０を用いて解決されることができる。図８は、ｅＮＢに対する物理チャネル処理４００を示す。前述のように、ＵＥ一意識別子は、セルＲＮＴＩ（Ｃ−ＲＮＴＩ）のようなＤＣＩをマスクするために用いられることができる。巡回冗長検査（ＣＲＣ）は、複数のＤＣＩメッセージにおけるエラー検出に用いられることができる。全体のＰＤＣＣＨペイロードは、複数のＣＲＣパリティビットのセットを計算するために用いられることができる。そして、複数のＣＲＣパリティビットは、ＰＤＣＣＨペイロードの終わりに追加されることができる。ＣＲＣアタッチメント４３０の間に、ＵＥに対する制御情報４１０（例えば、ＤＣＩ）は、ＵＥのＲＮＴＩ４３２でマスクされることができる。
【００４２】
ＲＮＴＩは、固有のＤＣＩフォーマットに付加される巡回冗長検査（ＣＲＣ）をスクランブルするために用いられることができる。巡回冗長検査（ＣＲＣ）は、送信されるべきデータのブロックに追加されるエラー検出コードであり得る。ＣＲＣの値は、データのブロックから計算されることができる。ＣＲＣの長さは、データの受信に関して、データのブロックにおいて検出されることができるエラーの数を決定できる。ＣＲＣは、複数のエラーを訂正、又はどのビットが誤りであるかを決定できなくてよい。
【００４３】
その結果、ＣＲＣアタッチメントを有するＤＣＩメッセージは、チャネルエンコーダによって、テールバイティング畳み込みコーディング（ＣＣ）４４０のようなチャネルコーディングを受けることができる。畳み込みコーディングは、前方エラー訂正の形態である。畳み込みコーディングは、注意深く選択された冗長情報を追加することによってチャネル容量を向上できる。例えば、ＬＴＥは、制約長ｋ＝７を有するレート１／３テールバイティングエンコーダを用いることができる。これは、出力の３ビットの中の１つが「役に立つ」情報を含み、他の２つが冗長性を追加することを意味する。テールバイティング畳み込みコーダは、その内部シフトレジスタを、「全てゼロ」の状態にではなく、現在の入力ブロックの最後のｋビットに初期化できる。これは、入力ブロックをゼロ詰めする必要なく、開始及び終了の状態が同じであり得ることを意味する。コーダを「終了すること（terminating）」のオーバヘッドが取り除かれ得るので、出力ブロックは、標準の畳み込みコーダより少ないビットを含むことができる。
【００４４】
ＵＥにおいて、初期状態が未知であり得るので、テールバイティング畳み込みデコーダ設計はより複雑であり得るが、デコーダは、開始及び終了の状態が同じであることを知っている。他の例において、チャネルデコーダは、ビタビアルゴリズムを用いて実装されることができる。
【００４５】
レートマッチング４５０のモジュールは、前述のように、所望の符号レートを有する出力ビットストリームを生成することができる。変調器は、出力ビットストリームを変調するために用いられてよい。変調器は、四位相偏移変調（ＱＰＳＫ）４６０のような様々な変調及びコーディングのスキーム（ＭＣＳ）を用いることができる。変調は、送信されるべき情報（例えば、ＤＣＩ）を一般的に含む変調信号で、キャリア信号と呼ばれる周期波形の１又は複数の特性を変化させる処理である。
【００４６】
モジュール（例えば、ＡＬ固有フェーズシフタ）は、全ての変調されたシンボルに対してアグリゲーションレベル固有フェーズシフト４７０を提供できる。例えば、ＡＬ固有フェーズシフトは、ＥＰＤＣＣＨ生成手順に加えて追加されることができる。例えば、４つのアグリゲーションレベルがＥＰＤＣＣＨの送信に対して用いられることができる場合、各ＡＬは、４つのフェーズシフトファクタ（例えば、｛１  ｊ  −１  −ｊ｝）のうちの１つが割り当てられることができる。ｅＮＢは、アグリゲーションレベル従って１つのシフトファクタを選択でき、全ての変調されたシンボル（例えば、ＱＰＳＫ変調された複数のシンボル）に乗算できる。フェーズシフトファクタは、ＡＬアンビギュイティの問題を解決するために用いられることができる。
【００４７】
他の例において、ＡＬ固有フェーズシフトに加えて、１つのＰＲＢペア内の複数のＥＲＥＧに対するＥＲＥＧ固有フェーズシフトが用いられてもよい。複数のＥＲＥＧに対するＥＲＥＧ固有フェーズシフトは、最低ＥＣＣＥアンビギュイティの問題を解決できる。ＥＲＥＧシフトファクタは、複数のアグリゲーションレベル固有シフトファクタと同じである又は異なることができる。
【００４８】
アグリゲーションレベル固有フェーズシフトの後、フェーズシフトされた変調された複数のシンボルは、１又は様々なレイヤ上のマッパによって複数のリソースエレメントにマッピング４８０されることができる（例えば、複数のＲＥは、図４に示されることができる）。
【００４９】
図９に示されるように、他の例において、アグリゲーションレベルアンビギュイティは、アグリゲーションレベル固有スクランブラを用いて、符号化されていない（例えば、未加工の）複数のＤＣＩビット（例えば、代替手段３）に関するアグリゲーションレベル固有スクランブル４２０を用いて解決されることができる。図９は、ｅＮＢに対する物理チャネル処理４０２を示す。スクランブルシーケンスは、符号化されていない複数のＤＣＩビットと同じ長さを有することができる。例えば、４つのアグリゲーションレベルに対して、シーケンスは、下記のようになり得る。
【００５０】
［００...０］
［１１...１］
［０１０１...０１］
［１０１０...１０］
【００５１】
他の複数のスクランブルシーケンスパターン（不図示）が用いられてもよい。各アグリゲーションレベル（例えば、１、２、４、８、１６、又は３２）は、異なる又は一意的なスクランブルシーケンスパターンを用いることができる。未加工のＤＣＩビットのアグリゲーションレベル固有スクランブル４２０の後、複数のＤＣＩビットは、前述のように、ＣＲＣアタッチメント４３０及び他の物理チャネル処理４０２の複数の動作を受けることができる。
【００５２】
他の構成（例えば、代替手段４）において、分散ＥＰＤＣＣＨの送信に関して、分散型ＥＰＤＣＣＨセットにおけるＰＲＢペアの数が１つのＥＣＣＥが含むＥＲＥＧの数より多い場合において、ＡＬアンビギュイティは、ｅＮＢがＡＬ１で送信し、ＵＥがＡＬ２、ＡＬ４、又はＡＬ８で正確にデコードするときに生じるだけでよい。そのため、２つのＡＬ固有ファクタは、フェーズシフト（例えば、シフトファクタの数を除いて代替手段２と同様）のための分散ＥＰＤＣＣＨの送信（例えば、｛１−１｝）に用いられてよく、又はＤＣＩをスクランブルする２つのシーケンス（例えば、２つのスクランブルシーケンスを用いることを除いて代替手段３と同様）を用いてよい。例えば、２つのスクランブルシーケンスのうちの１つは、全ての「ゼロ」シーケンス（例えば、シーケンスＡ）を用いることができ、他のスクランブルシーケンスは、全ての「１」シーケンス（例えば、シーケンスＢ）を用いることができる。代替手段４は、代替手段２及び３を組み合わせて用いることができる。代替手段４は、特定の分散型ＥＰＤＣＣＨセットのサイズに対して複雑性低減最適化を提供できる。様々な代替手段（例えば、代替手段１、２、３、及び４）は、セット毎のＰＲＢペアの数及びＥＣＣＥ毎のＥＲＥＧの数に関わらず、局在型及び分散型ＥＰＤＣＣＨセットの両方に直接適用されることもできる。
【００５３】
図１０に示されるように、他の例において、アグリゲーションレベルアンビギュイティ又は最低ＥＣＣＥアンビギュイティは、レートマッチング４５０の後に、インタリーバ４９０を用いて解決されることができ（例えば、代替手段５）、複数のＤＣＩビット４２２は、ＣＲＣアタッチメント４３０に提供される。インタリーバは、フェージング現象に対してインターリーブするために用いられることができる。図１０に示されるように、ＵＥが誤ったアグリゲーションレベルの仮定の元でＥＰＤＣＣＨを正確にデコードできないようにするために、ビットレベルインタリーバ４９０は、レートマッチングブロック４５０と変調ブロック４６０との間に挿入されることができる。ＵＥがブラインドデコーディングにおいて誤ったアグリゲーションレベルを仮定する場合に、インターリーブが符号化チェーンを壊しさえすれば、任意のインタリーバが適用可能であってよい。レガシーＰＤＣＣＨがＲＥＧインターリーブに対してインタリーバを用いることができるので、同じインタリーバは、単純化のために再利用されることができる（すなわち、サブブロックインタリーバが再利用されることができる）。ある例において、インタリーバのｓｎ出力における複数の＜ＮＵＬＬ＞要素は、変調の前に取り除かれることができる。
【００５４】
図１１に示されるように、他の例において、アグリゲーションレベルアンビギュイティ又は最低ＥＣＣＥアンビギュイティは、変調（例えば、ＱＰＳＫ４６０）の後のインタリーバ４９２を用いて解決されることができる（例えば、代替手段６）。図１１に示されるように、代替手段５と同様に、シンボルレベルインタリーバは、ＱＰＳＫ４６０変調ブロックとＲＥへのシンボルマッピングブロック４８０との間に挿入されることができる。例えば、サブブロックインタリーバは、再利用されることができる。例えば、インタリーバの出力における複数の＜ＮＵＬＬ＞要素は、ＲＥマッピングの前に取り除かれることができる。
【００５５】
図１２のフローチャートに示されるように、他の例は、拡張型物理ダウンリンク制御チャネル（ＥＰＤＣＣＨ）からのダウンリンク制御情報（ＤＣＩ）をブラインドデコーディングするための方法５００を提供する。方法は、機械又はコンピュータ回路上の複数の命令として実行されてよく、複数の命令は、少なくとも１つのコンピュータ可読媒体又は１つの非一時的機械可読記憶媒体上に含まれる。ブロック５１０のように、方法は、ユーザ機器（ＵＥ）において進化型ＮｏｄｅＢ（ｅＮＢ）からＥＰＤＣＣＨを受信する動作を含む。ブロック５２０のように、ＤＣＩが成功裏にデコードされるまで、ＥＣＣＥに対する複数の拡張リソースエレメントグループ（ＥＲＥＧ）インデックスマッピングの選択されたセットを用いて、物理リソースブロック（ＰＲＢ）ペアからのＥＰＤＣＣＨの複数の拡張制御チャネルエレメント（ＥＣＣＥ）からのＤＣＩをデコードすることを再帰的に試みる動作が続き、各ＥＲＥＧインデックスマッピングは、異なるアグリゲーションレベル（ＡＬ）に対して構成される。ブロック５３０のように、方法の次の動作は、規定のアグリゲーションレベルに関連するＥＲＥＧインデックスマッピングが用いられるときに、ＤＣＩを正確にデコードすることができ、規定のアグリゲーションレベルは、ＤＣＩをエンコードするために用いられる。
【００５６】
各ＥＲＥＧインデックスマップは、物理リソースブロック（ＰＲＢ）ペアにおけるどのリソースエレメント（ＲＥ）が各ＥＣＣＥに関連するかを決定するために用いられることができる。例えば、複数のＲＥがＥＰＤＣＣＨの送信に対して割り当てられる複数のＥＲＥＧの一部であるときに、物理リソースブロック（ＰＲＢ）ペアの複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)へのマッピングは、最初にインデックスｋそしてインデックスｌの順に増加し、サブフレームにおいて第１のスロットで開始し、第２のスロットで終了する。
【００５７】
ある例において、各ＥＣＣＥは、ＰＲＢペア又は複数のＰＲＢペアにおいて周波数又は時間で他の複数のＥＣＣＥと分散されることができ、又は各ＥＲＥＧは、ＰＲＢペア又は複数のＰＲＢペアにおいて周波数又は時間で他の複数のＥＲＥＧと分散されることができる。ＤＣＩを正確にデコードする動作は、アグリゲーションレベルを決定すること、及び最低ＥＣＣＥ値を決定することをさらに含むことができる。
【００５８】
他の例において、方法は、仮定されるアグリゲーションレベルがエンコードされたアグリゲーションレベルと異なるときに、ＤＣＩをデコードしないことをさらに含むことができる。ユーザ機器（ＵＥ）は、仮定されるアグリゲーションレベルに関連するＥＲＥＧインデックスマッピングでデコードすることを試みることができ、エンコードされたアグリゲーションレベルは、ＥＰＤＣＣＨにおける送信に対してＤＣＩをエンコードするために、進化型ＮｏｄｅＢ（ｅＮＢ）によって用いられるアグリゲーションレベルであることができる。方法は、他のアグリゲーションレベルに関連する他のＥＲＥＧインデックスマッピングを用いてＤＣＩをデコードすることを試みることをさらに含むことができる。
【００５９】
図１３のフローチャートに示されるように、他の例は、アグリゲーションレベル（ＡＬ）に基づいて、拡張型物理ダウンリンク制御チャネル（ＥＰＤＣＣＨ）の複数の拡張制御チャネルエレメント（ＥＣＣＥ）に複数のリソースエレメント（ＲＥ）をマッピングするために動作可能なノードのコンピュータ回路の機能６００を提供する。機能は、方法として実装されてよく、又は機能は、機械上の複数の命令として実行されてよく、複数の命令は、少なくとも１つのコンピュータ可読媒体又は１つの非一時的機械可読記憶媒体上に含まれてよい。ブロック６１０のように、コンピュータ回路は、ダウンリンク制御情報（ＤＣＩ）を送信するために用いられるＥＣＣＥの数を決定するように構成されることができる。ブロック６２０のように、コンピュータ回路は、ＤＣＩを送信するために用いられるＥＣＣＥの数に基づいて、ＤＣＩを送信するために用いられるアグリゲーションレベルを決定するようにさらに構成されることができる。ブロック６３０のように、コンピュータ回路は、ＥＲＥＧインデックスを用いてＤＣＩに割り当てられるＥＣＣＥの複数の拡張リソースエレメントグループ（ＥＲＥＧ）に複数のリソースエレメント（ＲＥ）をマッピングするように構成されることもでき、ＥＲＥＧインデックスは、局在型ＥＰＤＣＣＨの送信スキーム又は分散型ＥＰＤＣＣＨの送信スキームに基づいて選択される。
【００６０】
ある例において、ＲＥをマッピングするように構成されるコンピュータ回路は、ＤＣＩによって占有される複数のＲＥに渡る周波数優先シーケンスマッピングを用いて、局在型ＥＰＤＣＣＨの送信スキームに対して物理リソースブロック（ＰＲＢ）ペアにＲＥをマッピングする、又はＤＣＩによって占有される複数のＲＥに渡る周波数優先シーケンスマッピングを用いて、分散型ＥＰＤＣＣＨの送信スキームに対して複数のＰＲＢペアにＲＥをマッピングするようにさらに構成されることができ、分散型ＥＰＤＣＣＨの送信スキームに対する１つのＤＣＩは、複数のＰＲＢペアからの複数のＥＲＥＧを用いて搬送される。他の例において、ＲＥをマッピングするように構成されるコンピュータ回路は、ＤＣＩによって占有される複数のＲＥに渡る時間優先シーケンシャルマッピングを用いて、局在型ＥＰＤＣＣＨの送信スキームに対する物理リソースブロック（ＰＲＢ）ペアにＲＥをマッピングするようにさらに構成されることができ、又はＤＣＩによって占有される複数のＲＥに渡る時間優先シーケンシャルマッピングを用いて、分散型ＥＰＤＣＣＨの送信スキームに対する複数のＰＲＢペアにＲＥをマッピングすることができ、分散型ＥＰＤＣＣＨの送信スキームに対する１つのＤＣＩは、複数のＰＲＢペアからの複数のＥＲＥＧを用いて搬送される。
【００６１】
ある構成において、ＥＣＣＥは、物理リソースブロック（ＰＲＢ）ペアにおいて送信されることができ、各ＰＲＢペアは、４つのＥＣＣＥ又は２つのＥＣＣＥを含む。複数のＲＥがＥＰＤＣＣＨの送信に対して割り当てられる複数のＥＲＥＧの一部であるときに、物理リソースブロック（ＰＲＢ）ペアの複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含むことができ、Msymbは、物理チャネル上で送信する複数の変調シンボルの数であり、アンテナポートｐ上の複数のリソースエレメント(k,l)へのマッピングは、最初にインデックスｋそしてインデックスｌの順に増加し、サブフレームにおいて第１のスロットで開始し、第２のスロットで終了する。
【００６２】
コンピュータ回路は、ＥＰＤＣＣＨとともに物理ダウンリンク共有チャネル（ＰＤＳＣＨ）にリソースを割り当て、リソース割り当てにおいてＰＤＳＣＨを送信するようにさらに構成されることができる。ＥＰＤＣＣＨは、局在型ＥＰＤＣＣＨ又は分散型ＥＰＤＣＣＨであり得る。
【００６３】
図１４は、ノード７１０の例（例えば、ｅＮＢ）及び無線デバイス７２０の例（例えば、ＵＥ）を示す。ノードは、ノードデバイス７１２を含むことができる。ノードデバイス又はノードは、無線デバイス（例えば、ＵＥ）と通信するように構成されることができる。ノードデバイスは、プロセッサ７１４及びトランシーバ７１６を含むことができる。図１３の６００に説明されるように、プロセッサ７１４及び／又はトランシーバ７１６は、アグリゲーションレベル（ＡＬ）に基づいて、拡張型物理ダウンリンク制御チャネル（ＥＰＤＣＣＨ）の拡張制御チャネルエレメント（ＥＣＣＥ）に複数のリソースエレメント（ＲＥ）をマッピングするように構成されることができる。
【００６４】
無線デバイス７２０（例えば、ＵＥ）は、トランシーバ７２４及びプロセッサ７２２を含むことができる。図１２の５００に説明されるように、無線デバイス（すなわち、デバイス）は、拡張型物理ダウンリンク制御チャネル（ＥＰＤＣＣＨ）からのダウンリンク制御情報（ＤＣＩ）をブラインドデコーディングするように構成されることができる。
【００６５】
図１４に戻って参照すると、プロセッサ７２２は、ＤＣＩが成功裏にデコードされるまで、ＥＣＣＥに対する複数の拡張リソースエレメントグループ（ＥＲＥＧ）インデックスマップの選択されたセットを用いて、ＰＲＢのセットにおける複数の物理リソースブロック（ＰＲＢ）領域候補からのＥＰＤＣＣＨの複数の拡張制御チャネルエレメント（ＥＣＣＥ）からのＤＣＩをデコードすることを再帰的に試み、ＤＣＩをエンコードするために用いられた同じアグリゲーションレベルに関連するＥＲＥＧインデックスマップでＤＣＩをデコードするように構成されることができる。各ＥＲＥＧインデックスマップは、異なるアグリゲーションレベル（ＡＬ）に対して構成されることができる。
【００６６】
各ＥＲＥＧインデックスマップは、物理リソースブロック（ＰＲＢ）ペアにおけるどのリソースエレメント（ＲＥ）がアグリゲーションレベルに対するＥＣＣＥに関連するかを決定するために用いられることができる。例えば、複数のＲＥがＥＰＤＣＣＨの送信に対して割り当てられる複数のＥＲＥＧの一部であるときに、物理リソースブロック（ＰＲＢ）ペアの複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)へのマッピングは、最初にインデックスｋそしてインデックスｌの順に増加し、サブフレームにおいて第１のスロットで開始し、第２のスロットで終了する。
【００６７】
他の例において、プロセッサ７１４は、仮定されるアグリゲーションレベルがエンコードされたアグリゲーションレベルと異なるときに、ＤＣＩをデコードしないようにさらに構成されることができる。プロセッサは、仮定されるアグリゲーションレベルに関連するＥＲＥＧインデックスマップでデコードすることを試みることができ、エンコードされたアグリゲーションレベルは、ＥＰＤＣＣＨにおける送信に対してＤＣＩをエンコードするために、進化型ＮｏｄｅＢ（ｅＮＢ）によって用いられる同じアグリゲーションレベルであり得る。
【００６８】
トランシーバ７１６は、ノードからＥＰＤＣＣＨを受信するように構成されることができる。ノードは、基地局（ＢＳ）、ノードＢ（ＮＢ）、進化型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、又は中央処理モジュール（ＣＰＭ）を含むことができる。
【００６９】
他の構成において、トランシーバ７１６は、リソース割り当て（ＲＡ）においてＥＰＤＣＣＨとともに物理ダウンリンク共有チャネル（ＰＤＳＣＨ）を受信するように構成されることができる。ＲＡは、第３世代パートナシッププロジェクト（３ＧＰＰ）ロングタームエボリューション（ＬＴＥ）規格リリース１１で規定されるＲＡタイプ０、ＲＡタイプ１、又はＲＡタイプ２である。
【００７０】
他の例において、同じアグリゲーションレベルは、１、２、４、８、１６、又は３２のＥＣＣＥにおいてＤＣＩをエンコードするために使用される。他の構成において、ＤＣＩをデコードするように構成されるプロセッサは、アグリゲーションレベルアンビギュイティを解決し、最低ＥＣＣＥアンビギュイティを解決するようにさらに構成されることができる。
【００７１】
図１５は、ユーザ機器（ＵＥ）、移動局（ＭＳ)、移動無線デバイス、移動通信デバイス、タブレット、ハンドセット、又は他のタイプの無線デバイスのような無線デバイスの実例を提供する。無線デバイスは、基地局（ＢＳ）、進化型ＮｏｄｅＢ（ｅＮＢ）、ベースバンドユニット（ＢＢＵ）、遠隔無線ヘッド（ＲＲＨ）、遠隔無線機器（ＲＲＥ）、中継局（ＲＳ）、無線機器（ＲＥ）、遠隔無線ユニット（ＲＲＵ）、中央処理モジュール（ＣＰＭ）、又は他のタイプの無線ワイドエリアネットワーク（ＷＷＡＮ）アクセスポイントのような送信局又はノードと通信するように構成される１又は複数のアンテナを含むことができる。無線デバイスは、３ＧＰＰ  ＬＴＥ、ＷｉＭＡＸ、高速パケットアクセス（ＨＳＰＡ）、ブルートゥース、及びＷｉＦｉを含む少なくとも１つの無線通信規格を用いて通信するように構成されることができる。無線デバイスは、各無線通信規格に対して別の複数のアンテナを、又は複数の無線通信規格に対して共有の複数のアンテナを用いて通信できる。無線デバイスは、無線ローカルエリアネットワーク（ＷＬＡＮ）、無線パーソナルエリアネットワーク（ＷＰＡＮ）、及び／又はＷＷＡＮにおいて通信できる。
【００７２】
図１５は、無線デバイスからの音声入力及び出力のために用いられることができるマイク及び１又は複数のスピーカの実例も提供する。ディスプレイスクリーンは、液晶ディスプレイ（ＬＣＤ）スクリーン、又は有機発光ダイオード（ＯＬＥＤ）ディスプレイのような他のタイプのディスプレイスクリーンであってよい。ディスプレイスクリーンは、タッチスクリーンとして構成されることができる。タッチスクリーンは、静電容量方式、抵抗方式、又は他のタイプのタッチスクリーン技術を用いてよい。アプリケーションプロセッサ及びグラフィクスプロセッサは、処理及びディスプレイ機能を提供するために、内部メモリに結合されることができる。不揮発性メモリポートは、データの入力／出力の複数のオプションをユーザに提供するために用いられることもできる。不揮発性メモリポートは、無線デバイスの複数のメモリ機能を拡張するために用いられてもよい。キーボードは、追加のユーザ入力を提供するために、無線デバイスと一体化又は無線デバイスに無線接続されてよい。仮想的キーボードは、タッチスクリーンを用いて提供されてもよい。
【００７３】
様々な技術、又は特定の複数の態様若しくはその複数の部分は、複数のフロッピー（登録商標）ディスケット、複数のコンパクトディスクリードオンリメモリ（ＣＤ−ＲＯＭ）、複数のハードドライブ、非一時的コンピュータ可読記憶媒体、又は任意の他の機械可読記憶媒体のような有形の媒体に組み込まれるプログラムコード（すなわち、複数の命令）の形態を採ってよく、プログラムコードがコンピュータのような機械によってロードされて実行されるときに、機械は、様々な技術を実行する装置になる。回路は、ハードウェア、ファームウェア、プログラムコード、実行可能なコード、複数のコンピュータ命令、及び／又はソフトウェアを含むことができる。非一時的コンピュータ可読記憶媒体は、信号を含まないコンピュータ可読記憶媒体であり得る。複数のプログラム可能なコンピュータ上でのプログラムコードの実行の場合、コンピューティングデバイスは、プロセッサ、プロセッサによって可読な（揮発性及び不揮発性メモリ及び／又は複数のストレージ要素を含む）記憶媒体、少なくとも１つの入力デバイス、及び少なくとも１つの出力デバイスを含んでよい。揮発性及び不揮発性メモリ及び／又は複数のストレージ要素は、ランダムアクセスメモリ（ＲＡＭ）、消去可能プログラマブルリードオンリメモリ（ＥＰＲＯＭ）、フラッシュドライブ、光学式ドライブ、磁気ハードドライブ、ソリッドステートドライブ、又は電子データを格納する他の媒体であってよい。ノード及び無線デバイスは、トランシーバモジュール（すなわち、トランシーバ）、カウンタモジュール（すなわち、カウンタ）、処理モジュール（すなわち、プロセッサ）、及び／又はクロックモジュール（すなわち、クロック）若しくはタイマモジュール（すなわち、タイマ）を含んでもよい。ここで説明される様々な技術を実現又は利用してよい１又は複数のプログラムは、アプリケーションプログラミングインタフェース（ＡＰＩ）、複数のリユーザブルコントロール、及び同種のものを用いてよい。そのような複数のプログラムは、コンピュータシステムと通信するために、高水準手続型又はオブジェクト指向プログラミング言語で実装されてよい。しかし、（複数の）プログラムは、必要に応じて、アセンブリ又は機械言語で実装されてよい。いずれの場合であっても、言語は、コンパイラ型又はインタプリタ型言語であり、複数のハードウェア実装と組み合わせられてよい。
【００７４】
本明細書で説明された多くの機能ユニットは、それらの実装の独立性をより具体的に強調するために、複数のモジュールとして分類されていることが理解されるべきである。例えば、モジュールは、複数のカスタム超大規模集積（ＶＬＳＩ）回路又は複数のゲートアレイ、複数のロジックチップのような既製の複数の半導体、複数のトランジスタ、又は他の複数の別個のコンポーネントを備えるハードウェア回路として実装されてよい。モジュールは、複数のフィールドプログラマブルゲートアレイ、プログラマブルアレイロジック、複数のプログラマブルロジックデバイス、又は同種のもののようなプログラム可能な複数のハードウェアデバイスで実装されてもよい。
【００７５】
複数のモジュールは、様々なタイプのプロセッサによる実行のためのソフトウェアで実装されてもよい。実行可能なコードの特定されたモジュールは、例えば、複数のコンピュータ命令の１又は複数の物理的又は論理的ブロックを備えてよく、それは、例えば、オブジェクト、プロシージャ、又は関数として体系化されてよい。それでもなお、特定されたモジュールの複数の実行ファイルは、物理的に一緒に配置される必要はないが、異なる複数の位置に格納される別々の命令を備えてよく、論理的に一緒に合わせられるときに、モジュールを備え、モジュールに対して定められる目的を達成する。
【００７６】
実際には、実行可能なコードのモジュールは、単一の命令又は多くの命令であってよく、いくつかの異なるコードセグメントを超えて、異なる複数のプログラムの間で、及びいくつかのメモリデバイスを渡って分散されてもよい。同様に、処理データは、ここで複数のモジュール内に特定されて示されてよく、任意の適した形態に具現化され、任意の適したタイプのデータ構造体内に体系化されてよい。処理データは、単一のデータセットとして集められてよく、又は異なる複数の記憶デバイスを超えることを含む異なる複数の位置に分散されてよく、単にシステム又はネットワーク上の複数の電子信号として少なくとも部分的に存在してよい。複数のモジュールは、受動的又は能動的であってよく、所望の複数の機能を実行するように動作可能な複数のエージェントを含む。
【００７７】
本明細書を通して「ある例」又は「例示的」という言及は、その例に関連して説明される特定の特徴、構造、又は特性が、本発明の少なくとも１つの実施形態に含まれることを意味する。したがって、本明細書を通して様々な場所における「ある例において」という語句又は「例示的」という単語の出現は、必ずしも全て同じ実施形態を言及しているわけではない。
【００７８】
ここで用いられるように、複数の項目、構造的な複数の要素、組成の複数の要素、及び／又は複数の材料は、便宜上、一般的なリストで提示されてよい。しかし、これらのリストは、リストの各部材が別の一意的な部材として個別に特定されるかのように解釈されるべきである。したがって、そのようなリストの個々の部材は、それとは反対の指摘がない限り、一般的なグループにおけるそれらの提示にのみ基づき、同じリストの任意の他の部材の事実上の均等物として解釈されるべきでない。さらに、本発明の様々な実施形態及び例は、その様々なコンポーネントに対する複数の代替手段と共に、ここで言及されてよい。そのような複数の実施形態、複数の例、及び複数の代替手段は、互いに事実上の複数の均等物として解釈されるべきでないが、本発明の別の自律的な複数の表現とみなされるべきであることが理解される。
【００７９】
さらに、説明される複数の特徴、複数の構造、又は複数の特性は、１又は複数の実施形態において任意の適切なやり方で組み合わされてよい。以下の説明において、本発明の複数の実施形態の深い理解を提供するために、複数のレイアウト、複数の距離、ネットワークの複数の例などの複数の例のような多数の具体的な詳細が提供される。しかし、当業者は、本発明が具体的な複数の詳細のうちの１又は複数を伴わず、又は他の複数の方法、複数のコンポーネント、複数のレイアウトなどを伴って実施されることができることを認識するだろう。他の複数の例において、既知の複数の構造、複数の材料、又は複数の動作は、本発明の複数の態様を不明瞭にすることを回避するために、詳細には図示又は説明されていない。
【００８０】
前述の複数の例は、１又は複数の特定の応用における本発明の複数の原理の例示であるが、形式上の多数の修正、実装の使用法及び複数の詳細が、発明力を使うことなく、本発明の複数の原理及び複数の概念から逸脱することなく、なされることができることは当業者にとって明らかだろう。したがって、以下に記載される複数の請求項によるものを除き、本発明が限定されることは意図されない。
［項目１］
拡張型物理ダウンリンク制御チャネル（ＥＰＤＣＣＨ）からのダウンリンク制御情報（ＤＣＩ）をブラインドデコーディングするように構成されるユーザ機器（ＵＥ）であって、
プロセッサ
を備え、
前記プロセッサは、
前記ＤＣＩが成功裏にデコードされるまで、前記ＥＣＣＥに対する複数の拡張リソースエレメントグループ（ＥＲＥＧ）インデックスマップの選択されたセットを用いて、ＰＲＢのセットにおける複数の物理リソースブロック（ＰＲＢ）領域候補からの前記ＥＰＤＣＣＨの複数の拡張制御チャネルエレメント（ＥＣＣＥ）からの前記ＤＣＩをデコードすることを再帰的に試み、各ＥＲＥＧインデックスマップは、異なるアグリゲーションレベル（ＡＬ）に対して構成され、
前記ＤＣＩをエンコードするために用いられた同じアグリゲーションレベルに関連するＥＲＥＧインデックスマップで前記ＤＣＩをデコードする、ＵＥ。
［項目２］
各ＥＲＥＧインデックスマップは、物理リソースブロック（ＰＲＢ）ペアにおけるどのリソースエレメント（ＲＥ）がアグリゲーションレベルに対する前記ＥＣＣＥに関連するかを決定するために用いられる、項目１に記載のＵＥ。
［項目３］
前記複数のＲＥが前記ＥＰＤＣＣＨの送信に対して割り当てられる前記複数のＥＲＥＧの一部であるときに、物理リソースブロック（ＰＲＢ）ペアの前記複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)への前記マッピングは、最初にインデックスｋそしてインデックスｌの順に増加し、サブフレームにおいて第１のスロットで開始し、第２のスロットで終了する、項目２に記載のＵＥ。
［項目４］
前記プロセッサは、
仮定されるアグリゲーションレベルがエンコードされたアグリゲーションレベルと異なるときに前記ＤＣＩをデコードしないようにさらに構成され、
前記プロセッサは、前記仮定されるアグリゲーションレベルに関連するＥＲＥＧインデックスマップでデコードすることを試み、
前記エンコードされたアグリゲーションレベルは、前記ＥＰＤＣＣＨにおける送信に対して前記ＤＣＩをエンコードするために、進化型ＮｏｄｅＢ（ｅＮＢ）によって用いられた同じアグリゲーションレベルである、項目１に記載のＵＥ。
［項目５］
トランシーバ
をさらに備え、
前記トランシーバは、
ノードから前記ＥＰＤＣＣＨを受信し、
前記ノードは、基地局（ＢＳ）、ノードＢ（ＮＢ）、進化型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、及び中央処理モジュール（ＣＰＭ）からなるグループから選択される、項目１に記載のＵＥ。
［項目６］
トランシーバ
をさらに備え、
前記トランシーバは、
リソース割り当て（ＲＡ）において前記ＥＰＤＣＣＨとともに物理ダウンリンク共有チャネル（ＰＤＳＣＨ）を受信し、
前記ＲＡは、第３世代パートナシッププロジェクト（３ＧＰＰ）ロングタームエボリューション（ＬＴＥ）規格リリース１１で規定されるＲＡタイプ０、ＲＡタイプ１、又はＲＡタイプ２であり、
前記プロセッサは、
前記ＥＰＤＣＣＨにおいて前記ＤＣＩを含む物理リソースブロック（ＰＲＢ）ペアの周囲に前記ＰＤＳＣＨをレートマッチングするようにさらに構成される、項目１に記載のＵＥ。
［項目７］
前記同じアグリゲーションレベルは、１、２、４、８、１６、又は３２のＥＣＣＥにおいて前記ＤＣＩをエンコードするために用いられる、項目１に記載のＵＥ。
［項目８］
前記ＤＣＩをデコードするように構成される前記プロセッサは、
アグリゲーションレベルアンビギュイティを解決し、
最低ＥＣＣＥアンビギュイティを解決するようにさらに構成される項目１に記載のＵＥ。
［項目９］
前記ＵＥは、アンテナ、タッチセンシティブディスプレイ、スピーカ、マイク、グラフィクスプロセッサ、アプリケーションプロセッサ、内部メモリ、又は不揮発性メモリポートのうちの少なくとも１つを含む、項目１に記載のＵＥ。
［項目１０］
拡張型物理ダウンリンク制御チャネル（ＥＰＤＣＣＨ）からのダウンリンク制御情報（ＤＣＩ）をブラインドデコーディングする方法であって、
ユーザ機器（ＵＥ）において進化型ＮｏｄｅＢ（ｅＮＢ）から前記ＥＰＤＣＣＨを受信する段階と、
前記ＤＣＩが成功裏にデコードされるまで、前記ＥＣＣＥに対する複数の拡張リソースエレメントグループ（ＥＲＥＧ）インデックスマッピングの選択されたセットを用いて、物理リソースブロック（ＰＲＢ）ペアからの前記ＥＰＤＣＣＨの複数の拡張制御チャネルエレメント（ＥＣＣＥ）からの前記ＤＣＩをデコードすることを再帰的に試みる段階であって、各ＥＲＥＧインデックスマッピングは、異なるアグリゲーションレベル（ＡＬ）に対して構成される、段階と、
規定のアグリゲーションレベルに関連する前記ＥＲＥＧインデックスマッピングが用いられるときに、前記ＤＣＩを正確にデコードする段階であって、前記規定のアグリゲーションレベルは、前記ＤＣＩをエンコードするために用いられる、段階と
を備える、方法。
［項目１１］
各ＥＲＥＧインデックスマップは、物理リソースブロック（ＰＲＢ）ペアにおけるどのリソースエレメント（ＲＥ）が各ＥＣＣＥに関連するかを決定するために用いられる、項目１０に記載の方法。
［項目１２］
前記複数のＲＥが前記ＥＰＤＣＣＨの送信に対して割り当てられる前記複数のＥＲＥＧの一部であるときに、物理リソースブロック（ＰＲＢ）ペアの前記複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)への前記マッピングは、最初にインデックスｋそしてインデックスｌの順に増加し、サブフレームにおいて第１のスロットで開始し、第２のスロットで終了する、項目１１に記載の方法。
［項目１３］
各ＥＣＣＥは、前記ＰＲＢペア又は複数のＰＲＢペアにおいて周波数又は時間で他の複数のＥＣＣＥと分散され、又は各ＥＲＥＧは、前記ＰＲＢペア又は複数のＰＲＢペアにおいて周波数又は時間で他の複数のＥＲＥＧと分散される、項目１０に記載の方法。
［項目１４］
前記ＤＣＩを正確にデコードする段階は、
前記アグリゲーションレベルを決定する段階と、
最低ＥＣＣＥ値を決定する段階と
をさらに備える、項目１０に記載の方法。
［項目１５］
仮定されるアグリゲーションレベルがエンコードされたアグリゲーションレベルと異なるときに、前記ＤＣＩをデコードしない段階であって、ユーザ機器（ＵＥ）は、前記仮定されるアグリゲーションレベルに関連するＥＲＥＧインデックスマッピングでデコードすることを試み、前記エンコードされたアグリゲーションレベルは、前記ＥＰＤＣＣＨにおける送信に対して前記ＤＣＩをエンコードするために、進化型ＮｏｄｅＢ（ｅＮＢ）によって用いられた前記アグリゲーションレベルである、段階と、
他のアグリゲーションレベルに関連する他のＥＲＥＧインデックスマッピングを用いて、前記ＤＣＩをデコードすることを試みる段階と
をさらに備える項目１０に記載の方法。
［項目１６］
項目１０に記載の方法を実装するために実行されるように構成される複数の命令を備える、少なくとも１つの非一時的機械可読記憶媒体。
［項目１７］
アグリゲーションレベル（ＡＬ）に基づいて、拡張型物理ダウンリンク制御チャネル（ＥＰＤＣＣＨ）の複数の拡張制御チャネルエレメント（ＥＣＣＥ）に複数のリソースエレメント（ＲＥ）をマッピングするように動作可能なノードであって、
コンピュータ回路
を有し、
前記コンピュータ回路は、
ダウンリンク制御情報（ＤＣＩ）を送信するために用いられるＥＣＣＥの数を決定し、
前記ＤＣＩを送信するために用いられるＥＣＣＥの前記数に基づいて、前記ＤＣＩを送信するために用いられた前記アグリゲーションレベルを決定し、
ＥＲＥＧインデックスを用いて、前記ＤＣＩに割り当てられた前記ＥＣＣＥの複数の拡張リソースエレメントグループ（ＥＲＥＧ）に複数のリソースエレメント（ＲＥ）をマッピングするように構成され、
前記ＥＲＥＧインデックスは、局在型ＥＰＤＣＣＨの送信スキーム又は分散型ＥＰＤＣＣＨの送信スキームに基づいて選択される、ノード。
［項目１８］
前記ＲＥをマッピングするように構成される前記コンピュータ回路は、
前記ＤＣＩによって占有される前記複数のＲＥに渡る周波数優先シーケンスマッピングを用いて、前記局在型ＥＰＤＣＣＨの送信スキームに対して物理リソースブロック（ＰＲＢ）ペアに前記ＲＥをマッピングし、又は、
前記ＤＣＩによって占有される前記複数のＲＥに渡る周波数優先シーケンスマッピングを用いて、前記分散型ＥＰＤＣＣＨの送信スキームに対して複数のＰＲＢペアに前記ＲＥをマッピングするようにさらに構成され、
前記分散型ＥＰＤＣＣＨの送信スキームに対する１つのＤＣＩは、前記複数のＰＲＢペアからの複数のＥＲＥＧを用いて搬送される、項目１７に記載のコンピュータ回路。
［項目１９］
前記ＲＥをマッピングするように構成される前記コンピュータ回路は、
前記ＤＣＩによって占有される前記複数のＲＥに渡る時間優先シーケンシャルマッピングを用いて、前記局在型ＥＰＤＣＣＨの送信スキームに対して物理リソースブロック（ＰＲＢ）ペアに前記ＲＥをマッピングし、又は、
前記ＤＣＩによって占有される前記複数のＲＥに渡る時間優先シーケンシャルマッピングを用いて、前記分散型ＥＰＤＣＣＨの送信スキームに対して複数のＰＲＢペアに前記ＲＥをマッピングするようにさらに構成され、
前記分散型ＥＰＤＣＣＨの送信スキームに対する１つのＤＣＩは、前記複数のＰＲＢペアからの複数のＥＲＥＧを用いて搬送される、項目１７に記載のコンピュータ回路。
［項目２０］
前記ＥＣＣＥは、物理リソースブロック（ＰＲＢ）ペアにおいて送信され、各ＰＲＢペアは、４つのＥＣＣＥ又は２つのＥＣＣＥを含む、項目１７に記載のコンピュータ回路。
［項目２１］
前記複数のＲＥが前記ＥＰＤＣＣＨの送信に対して割り当てられる前記複数のＥＲＥＧの一部であるときに、物理リソースブロック（ＰＲＢ）ペアの前記複数のＲＥは、関連するアンテナポート上の複数のリソースエレメント(k,l)にy(0)で開始するシーケンスにおいてマッピングされる複数の複素数値シンボルy(0),...,y(Msymb-1)のブロックを含み、Msymbは、物理チャネル上で送信する複数の変調シンボルの数であり、アンテナポートｐ上の複数のリソースエレメント(k,l)への前記マッピングは、最初にインデックスｋそしてインデックスｌの順に増加し、サブフレームにおいて第１のスロットで開始し、第２のスロットで終了する、項目１７に記載のコンピュータ回路。
［項目２２］
前記ＥＰＤＣＣＨとともに物理ダウンリンク共有チャネル（ＰＤＳＣＨ）にリソースを割り当て、
前記リソース割り当てにおいて前記ＰＤＳＣＨを送信するようにさらに構成される、項目１７に記載のコンピュータ回路。
［項目２３］
前記ＥＰＤＣＣＨは、局在型ＥＰＤＣＣＨ又は分散型ＥＰＤＣＣＨである、項目１７に記載のコンピュータ回路。
［項目２４］
前記ノードは、基地局（ＢＳ）、ノードＢ（ＮＢ）、進化型ＮｏｄｅＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、及び中央処理モジュール（ＣＰＭ）からなるグループから選択される、項目１７に記載のコンピュータ回路。
【図１】
0005956689.tif 000005
【図２】
0005956689.tif 000006
【図３】
0005956689.tif 000007
【図４】
0005956689.tif 000008
【図５】
0005956689.tif 000009
【図６】
0005956689.tif 000010
【図７】
0005956689.tif 000011
【図８】
0005956689.tif 000012
【図９】
0005956689.tif 000013
【図１０】
0005956689.tif 000014
【図１１】
0005956689.tif 000015
【図１２】
0005956689.tif 000016
【図１３】
0005956689.tif 000017
【図１４】
0005956689.tif 000018
【図１５】
0005956689.tif 000019